(57)【要約】【課題】アイロンの使用時は、ケース兼把持部と発熱する金属アイロン板を離間させて間隙を形成し、指等が金属アイロン板に接触して火傷するような危険性を回避し、またケース兼把持部を高耐熱性の材料を使用しなくて済み、さらに、アイロンの不使用時は、ケース兼把持部と金属アイロン板間の間隙を閉じるようにして、アイロンをより一層小型化して携帯の容易化を図った携帯用小型アイロンを提供すること。【解決手段】携帯用小型アイロンとして、舟形状に構成されアイロン対象物を加熱押圧する金属アイロン板２と、金属アイロン板２を覆うように舟形のマウス形状に形成されたケース兼把持部１とから構成され、金属アイロン板２が発熱しているアイロンの使用時は、金属アイロン板２とケース兼把持部１間に間隙８が形成されるように構成し、アイロンの不使用時は、金属アイロン板２とケース兼把持部１間の間隙８を閉じるように構成したことを特徴とする。【選択図】図１
2006158853.tif 000002
【特許請求の範囲】
【請求項１】
舟形状に形成されアイロン対象物を加熱押圧する金属アイロン板と、該金属アイロン板を覆うように舟形のマウス形状に形成されたケース兼把持部とから構成され、アイロンの使用時は、前記金属アイロン板と前記ケース兼把持部間に間隙が形成されるように構成し、アイロンの不使用時は、前記金属アイロン板と前記ケース兼把持部間の前記間隙を閉じるように構成したことを特徴とする携帯用小型アイロン。
【請求項２】
前記ケース兼把持部の上部に、小間物を収納する収納部と該収納部を開閉可能な蓋部とを設けたことを特徴とする請求項１に記載の携帯用小型アイロン。
【発明の詳細な説明】
【技術分野】
【０００１】
本発明は、携帯用小型アイロンに係り、特に、旅行カバン等に収納して持ち歩き可能な携帯用小型アイロンに関する。
【背景技術】
【０００２】
通常、一般家庭で使用されるアイロンは、形状が大きく、重量も重く、そのため旅行等に携帯して、旅行先で簡便に使用することはできないものである。
そのため、従来のこのような問題を解決するために、旅行カバンやハンドバッグ等に収納可能であって、旅行先等でも簡便に使用可能な携帯型の小型アイロンが提案されている。
【０００３】
例えば、特開２００１−１６２１００号には、本体上部と本体下部の端部に１本の軸によって回動自在に構成し、本体下部にアイロン台部を設け、本体上部に電池電源によって発熱される発熱体を設け、本体下部のアイロン台部と本体上部の発熱部とによって、アイロン対象物を挟圧してアイロンがけできるようにした携帯用小型アイロンが提案されている。
また、登録実用新案第３０５６９９６号には、ケースの側壁に商用電源等の電源を供給できるソケット部を設け、全体として一般家庭で使用されるアイロンより小型・軽量化された舟形状の簡易式ハンディータイプアイロンが提案されている。  
【０００４】
【特許文献１】特開２００１−１６２１００号
【特許文献２】登録実用新案第３０５６９９６号
【発明の開示】
【発明が解決しようとする課題】
【０００５】
しかし、上記前者の公報に記載されている携帯用小型アイロンは、本体下部のアイロン台部と本体上部の発熱部とによって、アイロン対象物を挟圧してアイロンがけするものであるため、アイロン対象物が、アイロンの形状構造に制限されて、任意の形状のアイロン対象物をアイロンがけすることができなかった。
【０００６】
また、上記後者の公報に記載されている簡易式ハンディータイプアイロンは、ケースの上部に空間を介してアイロンを把持するためのハンドルが設けられているために、全体としてアイロンが背高に構成されてしまい、アイロンを小型化することができなかった。
【０００７】
本発明の目的は、上記の問題点に鑑み、一般家庭で使用される舟形状のアイロンに類似する形状構造を有するものの、より一層小型化して、旅行等の携帯を容易化すると共に、アイロン対象物の形状の制約を受けずに、任意の形状のアイロン対象物をアイロンがけできるようにした携帯用小型アイロンを提供することにある。
【０００８】
また、本発明の他の目的は、アイロンのケース兼把持部を舟形のマウス形状に構成し、アイロンの使用時は、ケース兼把持部と発熱する金属アイロン板を離間させて間隙を形成し、ケース兼把持部を手で持ってアイロンがけしても指等が金属アイロン板に接触して火傷するような危険性を回避することができると共に、ケース兼把持部が金属アイロン板に接触しないので、ケース兼把持部を高耐熱性の材料を使用しなくて済み、さらに、アイロンの不使用時は、ケース兼把持部と金属アイロン板間の間隙を閉じるようにして、アイロンをより一層小型化して携帯の容易化を図った携帯用小型アイロンを提供することにある。
【０００９】
また、本発明の他の目的は、ケース兼把持部の上部に、針や糸等の裁縫道具のような小間物を収納する収納部を設け、旅行先等での利便性を図った携帯用小型アイロンを提供することにある。
【課題を解決するための手段】
【００１０】
第１の手段は、舟形状に形成されアイロン対象物を加熱押圧する金属アイロン板と、該金属アイロン板を覆うように舟形のマウス形状に形成されたケース兼把持部とから構成され、アイロンの使用時は、前記金属アイロン板と前記ケース兼把持部間に間隙が形成されるように構成し、アイロンの不使用時は、前記金属アイロン板と前記ケース兼把持部間の前記間隙を閉じるように構成したことを特徴とする携帯用小型アイロンである。
【００１１】
第２の手段は、第１の手段において、前記ケース兼把持部の上部に、小間物を収納する収納部と該収納部を開閉可能な蓋部とを設けたことを特徴とする携帯用小型アイロンである。
【発明の効果】
【００１２】
請求項１に記載の発明によれば、携帯用小型アイロンとして、舟形状に形成されアイロン対象物を加熱押圧する金属アイロン板と、該金属アイロン板を覆うように舟形のマウス形状に形成されたケース兼把持部とから構成し、アイロンの使用時は、前記金属アイロン板と前記ケース兼把持部間に間隙が形成されるように構成し、アイロンの不使用時は、前記金属アイロン板と前記ケース兼把持部間の前記間隙を閉じるように構成したので、アイロンの使用時は、従来の一般のアイロンに設けられているような把手（ハンドル）を設けなくても、ケース兼把持部と発熱する金属アイロン板を離間させて間隙を設けるので、ケース兼把持部を手で持ってアイロンがけしても指等が金属アイロン板に接触して火傷するような危険性を回避することができると共に、ケース兼把持部が金属アイロン板に接触しないので、ケース兼把持部を高耐熱性の材料を使用しなくて済み、さらには間隙を介してヒーターからの熱が放散されるので、ケース兼把持部１が高温化されるのを防止することができる。またアイロンの不使用時においては、従来の一般のアイロンに設けられているような把手（ハンドル）がないので、ケース兼把持部１の背高を低くすることができ、より一層アイロンを小型化することができ、このような状態でこの携帯用小型アイロンを旅行カバン等に収納した場合には携帯が非常に容易となる。
【００１３】
請求項２に記載の発明によれば、前記ケース兼把持部の上部に、小間物を収納する収納部と該収納部を開閉可能な蓋部とを設けたので、収納部に針や糸等の裁縫道具のような小間物を収納することができるので、旅行先等で簡単な裁縫等を容易に行うことが可能となる。
【発明を実施するための最良の形態】
【００１４】
本発明の一実施形態を図１乃至図５を用いて説明する。
図１は、本実施形態の発明に係る携帯用小型アイロンの外観を示す図である。
同図において、１は外観が舟形のマウス形状に構成され、アイロン使用時には、アイロンを手で把持するケース兼把持部、２は舟形状に構成されアイロン対象物を加熱押圧する金属アイロン板、３は針や糸等の裁縫道具のような小間物を収納する収納部、４は収納部３を開閉する蓋部、５は外部から商用電源等の電源が接続され当該アイロンに電気を供給するソケット部、６は一端がケース兼把持部１の一方の内側面に固定され、他端が同軸上に設けられた後述するバネ６２を介してケース兼把持部１の他方の側面に出入可能に設けられたオープン・クローズロックボタン、７は金属アイロン板側に設けられ、オープン・クローズロックボタン６を斜め上下に移動する際にガイドするリブ（ポップアップガイド）、８は、アイロンの使用時に、ケース兼把持部１と金属アイロン板２間に形成される間隙である。
同図に示すように、ケース兼把持部１の上部には、針や糸等の裁縫道具のような小間物を収納する収納部３が設けられているで、旅行先等で簡単な裁縫等を容易に行うことができる。
【００１５】
図２（ａ）及び図２（ｂ）は、それぞれ図１に示す携帯用小型アイロンの不使用時と使用時の態様を示す側面図である。
【００１６】
この携帯用小型アイロンは、アイロン不使用時には、図２（ａ）に示すように、ケース兼把持部１と金属アイロン板２間の間隙が閉じられた状態にある。これによって、元々、ケース兼把持部１が舟型のマウス形状に構成されているため小型化されていることに加えて、ケース兼把持部１の背高を低くすることができるので、より一層アイロンを小型化することができる。その結果、このような状態でこの携帯用小型アイロンを旅行カバン等に収納した場合には携帯が非常に容易となる。
【００１７】
また、図示していない電源からソケット部５を介して電気を供給して、金属アイロン板２を発熱させてアイロンを使用する時は、図２（ｂ）に示すように、図２（ａ）の状態でオープン・クローズロックボタン６を押圧すると、ケース兼把持部１がリブ７に沿って斜め上方に持ち上がり、ケース兼把持部１と金属アイロン板２間が開き、間隙９が形成される。このような状態で、ケース兼把持部１を手で持って、図示していないアイロン対象物を押圧すると、金属アイロン板２によってアイロン対象物が加熱押圧され、アイロンがけすることができる。ここで、ケース兼把持部１を手で持つ際、ケース兼把持部１と金属アイロン板２間には間隙８が形成されるので、指等が加熱されている金属アイロン板２に接触することを回避することができ、火傷等を防ぐことができる。
【００１８】
なお、上記において、ケース兼把持部１をリブ７に沿って斜め上方に持ち上げる理由は、アイロンがけする際、金属アイロン板２の先端部をケース兼把持部１の先端部より多少前方に突出させるためであり、これによって金属アイロン板２の先端部を容易に視認することができ、アイロンがけが容易になる。    
【００１９】
図３（ａ）及び図３（ｂ）は、それぞれ図１に示す携帯用小型アイロンの不使用時と使用時の態様を示す正面断面図である。
同図において、９はケース兼把持部１内部の金属アイロン板２上に設けられたヒーターである。
図３（ａ）に示すように、携帯用小型アイロンの携帯時の不使用時には、ケース兼把持部１と金属アイロン板２間の間隙は閉じた状態にある。それに対して、図３（ｂ）に示すように、携帯用小型アイロンの使用時には、ケース兼把持部１と金属アイロン板２間に間隙８が形成されるので、ヒーター９からの発熱が、間隙８を介して放散され、ケース兼把持部１が高温化されることを防止することができる。
【００２０】
図４（ａ）及び図４（ｂ）は、それぞれ図１に示す携帯用小型アイロンの使用時と不使用時における、ケース兼把持部１と金属アイロン板２間の間隙８の開閉機構の概略を示す正面断面図である。  
同図において、１０はケース兼把持部１と一体に形成された突部であり、１１は突部１０の下部に設けられたバネであり、バネ１１によって突部１０は常時斜め上部に上昇するような圧力を受けている。
携帯用小型アイロンの不使用時には、後に図５において詳述するが、図４（ａ）に示すように、オープン・クローズロックボタン６に設けられた図示されていない凸部が金属アイロン板２側の図示されていない第１の凹部に係合しており、金属アイロン板２とケース兼把持部１間の間隙８が閉じられた状態に保持することができる。また、携帯用小型アイロンの使用時には、図４（ｂ）に示すように、オープン・クローズロックボタン６を押圧すると、オープン・クローズロックボタン６に設けられた前記凸部が前記第１の凹部との係合を離脱するため、突部１０はバネ１１によって斜め上部に持ち上げられ、突部１０と一体に形成されているケース兼把持部１は斜め上部に持ち上げられ、ケース兼把持部１と金属アイロン板２との間に間隙８が形成されるようになる。
【００２１】
図５（ａ）及び図５（ｂ）は、図４に示したケース兼把持部１と金属アイロン板２間の間隙８の開閉機構をより詳細に説明するための図である。
同図において、６１はオープン・クローズロックボタン６に設けられた凸部、６２はオープン・クローズロックボタン６と同軸上に設けられたバネ、１２１は金属アイロン板２側の部材に設けられた第１の凹部、１２２は金属アイロン板２側の部材に設けられたガイド部、１２３は金属アイロン板２側の部材に設けられた第２の凹部である。
【００２２】
図５（ａ）において、オープン・クローズロックボタン６の凸部６１が第１の凹部１２１に係合されているため、ケース兼把持部１と金属アイロン板２間の間隙が閉じられた状態となり、携帯用小型アイロンの不使用状態が確保される。
【００２３】
次に、オープン・クローズロックボタン６をケース兼把持部１に向かって押圧すると、オープン・クローズロックボタン６と同軸に設けられているバネ６２に抗してオープン・クローズロックボタン６が押圧され、それに伴って凸部６１が第１の凹部１２１との係合を解かれ、凸部６１はガイド部１２２に移行する。凸部６１がガイド部１２２に移行すると、凸部１０はバネ１１によって斜め上部に上昇するような圧力を受けているため、凸部１０と一体形成されているケース兼把持部１及びオープン・クローズロックボタン６は斜め上部に上昇可能となり、凸部６１はガイド部１２２に沿って斜め上部に上昇する。
【００２４】
次に、図５（ｂ）に示すように、凸部６１がガイド部１２２を上昇しきったところで、オープン・クローズロックボタン６の押圧を解除すると、オープン・クローズロックボタン６はバネ６２によって元の状態に戻される。そのため、凸部６１が第２の凹部１２３に係合されて、ケース兼把持部１と金属アイロン板２間に間隙８が形成され、携帯用小型アイロンの使用可能な状態が確保される。
【図面の簡単な説明】
【００２５】
【図１】本発明に係る携帯用小型アイロンの外観を示す図である。
【図２】図１に示した携帯用小型アイロンの不使用時と使用時の態様を示す側面図である。
【図３】図１に示した携帯用小型アイロンの不使用時と使用時の態様を示す正面断面図である。
【図４】図１に示した携帯用小型アイロンの使用時と不使用時における、ケース兼把持部１と金属アイロン板２間の間隙８の開閉機構の概略を示す正面断面図である。
【図５】図４に示したケース兼把持部１と金属アイロン板２間の間隙８の開閉機構をより詳細に説明するための図である。
【符号の説明】
【００２６】
１  ケース兼把持部
２  金属アイロン板
３  収納部
４  蓋部
５  ソケット部
６  オープン・クローズロックボタン
６１  凸部
６２  バネ
７  リブ（ポップアップガイド）
８  間隙
９  ヒーター
１０  突部
１１  バネ
１２１  第１の凹部
１２２  ガイド部
１２３  第２の凹部
【図１】
2006158853.tif 000003
【図２】
2006158853.tif 000004
【図３】
2006158853.tif 000005
【図４】
2006158853.tif 000006
【図５】
2006158853.tif 000007